(57)【要約】【課題】水洗トイレの手洗い付きロータンクの手洗い部に載置し、カランからの水の供給によってロータンク内に薬液を吐出する薬液吐出容器において、手洗い部の形状、手洗水の水量、水圧、ロータンクの手洗い部における載置位置によらず、薬液の吐出量を最適化させる。【解決手段】薬液Ａを収容する薬液タンク１、及び薬液タンク１の下方に設けられた薬液吐出ノズル４からなり、薬液吐出ノズル４から水洗トイレの手洗い付きロータンクに薬液を吐出する薬液吐出容器１００であって、薬液吐出ノズル４の先端に、薬液吐出量を調整するための薬液吐出調整手段を脱着可能に設ける。薬液吐出調整手段としては、薬液吐出ノズル４の先端に嵌着されるノズルキャップ１１や螺着されるネジ栓が挙げられる。また、薬液吐出容器の底部に、水誘導板を設けてもよく、薬液吐出ノズルの周囲に、水量抑制板を設けてもよい。【選択図】    図１
2004176424.tif 000002
【特許請求の範囲】
【請求項１】
薬液を収容する薬液タンク、及び薬液タンクの下方に設けられた薬液吐出ノズルからなり、薬液吐出ノズルから水洗トイレの手洗い付きロータンクに薬液を吐出する薬液吐出容器であって、該薬液吐出ノズルの先端に、薬液吐出量を調整するための薬液吐出調整手段が脱着可能に設けられている薬液吐出容器。
【請求項２】
該薬液吐出調整手段が、薬液吐出ノズルの先端に嵌着され、薬液吐出ノズルの吐出口径と異なる開口径を有するノズルキャップである請求項１記載の薬液吐出容器。
【請求項３】
該薬液吐出調整手段が、薬液吐出ノズルの先端に螺着されたネジ栓であって、ネジの開け閉めにより薬液吐出量を変化させることができるネジ栓である請求項１記載の薬液吐出容器。
【請求項４】
薬液を収容する薬液タンク、及び薬液タンクの下方に設けられた薬液吐出ノズルからなり、薬液吐出ノズルから水洗トイレの手洗い付きロータンクに薬液を吐出する薬液吐出容器であって、該薬液吐出容器の底部に、薬液吐出ノズルから底部周縁部に向かって、水を薬液吐出ノズルへ誘導するための水誘導板が設けられており、該水誘導板が、該薬液吐出ノズルへ誘導される水量を調整できるように可動となっている薬液吐出容器。
【請求項５】
薬液を収容する薬液タンク、及び薬液タンクの下方に設けられた薬液吐出ノズルからなり、薬液吐出ノズルから水洗トイレの手洗い付きロータンクに薬液を吐出する薬液吐出容器であって、該薬液吐出ノズルの周囲に、該薬液吐出ノズルの吐出方向に沿って、水が薬液吐出ノズルに当たることを抑制するための水量抑制板が設けられており、該水量抑制板が、該薬液吐出ノズルに当たる水量を調整できるように可動となっている薬液吐出容器。
【発明の詳細な説明】
【０００１】
【発明の属する技術分野】
本発明は、水洗トイレの手洗い付きロータンクの手洗い部に載置し、手洗い部の上方のカランから給水される水に薬液を混合するのに適した薬液吐出容器に関する。
【０００２】
【従来の技術】
従来、水洗トイレの手洗い付きロータンクの手洗い部に載置し、手洗い部の上方のカランから供給される水に芳香剤、洗浄剤、殺菌剤等の薬剤を含有する薬液を混合するために用いる薬液供給具として、そのような薬液を収容する薬液タンクの底部に薬液の導出孔を設けたものが知られている（特許文献１参照）。この薬液供給具においては、その導出孔から薬液を含浸体に導出して含浸させると共に、その含浸体を、カランから手洗い部に供給された水の流れに晒されるようにし、含浸体に含まれていた薬液を水に溶解させて、ロータンク内に流下させるようにしている。
【０００３】
【特許文献１】特開２００１−３４２６６６号
【０００４】
【発明が解決しようとする課題】
しかしながら、上述の薬液供給具は構造的に複雑であり、部品点数も多く、そのため製造コストが高いという問題がある。
【０００５】
このため、より単純な機構の薬液供給具として、図９（ａ）に示すように、薬液Ａを収容する薬液タンク１と薬液タンク１の底部開口部２に取り付けたキャップ３からなり、キャップ３に薬液吐出ノズル４と足６を設けた構造の薬液吐出容器１００ｘが考えられる。この薬液吐出容器１００ｘでは、薬液吐出ノズル４の先端開口部５に薬液Ａが表面張力と容器内の負圧により保持されている。
【０００６】
このような薬液吐出容器１００ｘを、図９（ｂ）に示すように、ロータンクの手洗い部２０の吸水口２１上に載置し、カランから手洗い部２０に矢印のように水Ｗを供給した場合には、その水Ｗは薬液Ａを保持した薬液吐出ノズル４を洗うようにしてロータンク内に流下し、従って、この薬液吐出容器１００ｘによれば、単純な機構で、カランからの給水の度に薬液Ａをロータンク内に混入させることができる。ここで、薬液タンク１内は、ロータンク内へ供給された薬液Ａの量に応じて負圧になるが、薬液吐出ノズル４の先端開口部５に付着していた薬液の希釈液又は水と空気とがその先端開口部５から薬液タンク１内に入るので、薬液タンク１内は常圧に戻る。その後、一般に水温より室温の方が温度が高いため、薬液タンク１内に存在している空気が膨張し、それに伴い薬液Ａが薬液吐出ノズル４から押し出され、徐々に薬液タンク１内の薬液量が減少してゆく。以降、カランから給水される度にこの作用が繰り返され、洗浄力のある薬液Ａがロータンク内に安定的に供給される。
【０００７】
しかしながら、ロータンクの手洗い部の形状、手洗水の水量、水圧によって薬液吐出ノズル４の先端開口部５に当たる水量や水圧が変わるために薬液Ａの吐出量の変動が大きいという問題が生じる。例えば、図９（ｂ）に示すように、吸水口２１の中心に薬液吐出ノズル４が挿入されるように薬液吐出容器１００ｘが載置された場合において、カランからの水Ｗの勢いが弱いと、水Ｗは薬液吐出ノズル４の先端開口部５をさらうことなく、破線矢印のようにロータンク内に流下する。このため、ロータンクへ薬液Ａが吐出されなくなる。一方、図９（ｃ）に示すように、吸水口２１で薬液吐出ノズル４が偏った位置に載置されると、カランから水Ｗが供給されている間、吸水口２１に流入した水Ｗは、終始、直接的に薬液吐出ノズルの先端開口部５にあたり、流下するので、薬液タンク１内の薬液Ａが水Ｗの流れに吸引されて過剰吐出となる。
【０００８】
本発明は、ロータンクの手洗い部の形状、手洗水の水量、水圧、ロータンクの手洗い部における薬液吐出容器の載置位置に応じて、適切な量の薬液Ａを吐出させることのできる薬液吐出容器を提供することを目的とする。
【０００９】
【課題を解決するための手段】
本発明は、ロータンクの手洗い部に載置する薬液吐出容器の底部の薬液吐出ノズルから薬液をロータンク内に吐出させる場合に、薬液吐出ノズルからの薬液吐出量を調整できるようにすれば、薬液吐出容器が置かれた環境に応じて適切な量で薬液を吐出でき、そのためには、▲１▼薬液吐出ノズルの先端に薬液吐出量を調整するための薬液吐出調整手段を脱着可能に設けるか、▲２▼薬液吐出容器の底部に、薬液吐出ノズルから底部周縁部に向かって、水を薬液吐出ノズルへ誘導するための水誘導板を、薬液吐出ノズルへ誘導される水量が調整できるように可動に設けるか、あるいは▲３▼薬液吐出ノズルの周囲に、薬液吐出ノズルの吐出方向に沿って、薬液吐出ノズルに当たる水量を抑制するための水量抑制板を、薬液吐出ノズルへ誘導される水量が調整できるように可動に設けることにより、上述の目的を達成できることを見出し、本発明を完成させた。
【００１０】
即ち、第１の本発明は、薬液を収容する薬液タンク、及び薬液タンクの下方に設けられた薬液吐出ノズルからなり、薬液吐出ノズルから水洗トイレの手洗い付きロータンクに薬液を吐出する薬液吐出容器であって、該薬液吐出ノズルの先端に、薬液吐出量を調整するための薬液吐出調整手段が脱着可能に設けられている薬液吐出容器であります。
【００１１】
また、第２の本発明は、薬液を収容する薬液タンク、及び薬液タンクの下方に設けられた薬液吐出ノズルからなり、薬液吐出ノズルから水洗トイレの手洗い付きロータンクに薬液を吐出する薬液吐出容器であって、該薬液吐出容器の底部に、薬液吐出ノズルから底部周縁部に向かって、水を薬液吐出ノズルへ誘導するための水誘導板が設けられており、該水誘導板が、該薬液吐出ノズルへ誘導される水量を調整できるように可動となっている薬液吐出容器を提供する。
【００１２】
また、第３の本発明は、薬液を収容する薬液タンク、及び薬液タンクの下方に設けられた薬液吐出ノズルからなり、薬液吐出ノズルから水洗トイレの手洗い付きロータンクに薬液を吐出する薬液吐出容器であって、該薬液吐出ノズルの周囲に、該薬液吐出ノズルの吐出方向に沿って、水が薬液吐出ノズルに当たることを抑制するための水量抑制板が設けられており、該水量抑制板が、該薬液吐出ノズルに当たる水量を調整できるように可動となっている薬液吐出容器を提供する。
【００１３】
【発明の実施の形態】
以下、図面を参照しつつ、本発明を詳細に説明する。なお、各図中、同一符号は同一または同等の構成要素を表している。
【００１４】
図１は、第１の本発明の一態様の薬液吐出容器１００の部分切り欠き断面を含む正面図（同図（ａ））及び側面図（同図（ｂ））である。
【００１５】
この薬液吐出容器１００は、トイレ用芳香剤、洗浄剤、殺菌剤等の薬剤を含有する薬液Ａを収容する薬液タンク１と、薬液タンク１の底部開口部２に取り付けられたキャップ３からなる。キャップ３の底部には薬液吐出ノズル４と、足６がキャップ３に一体的に設けられている。そして、薬液吐出ノズル４の先端には、薬液吐出量を調整するための薬液吐出調整手段として、ノズルキャップ１１が薬液吐出ノズル４の先端に実線太線矢印の方向から脱着可能に嵌着される。
【００１６】
第１の本発明において、ノズルキャップ１１は、薬液吐出量を調整すること（即ち、ノズルキャップを設けていない対照の薬液吐出容器の薬液吐出量よりも少なくすること又は多くすること）ができる範囲であれば、その開口径や大きさや形状には特に限定はない。例えば、開口径に関し言えば、薬液吐出ノズル４の先端開口部５の吐出口径５ａと異なる開口径を有する場合と、同じ開口径を有する場合がある。なお、ノズルキャップ１１の先端開口部１１ａには、薬液Ａが、表面張力と薬液タンク１内が弱い負圧状態になることにより保持される。
【００１７】
図２にノズルキャップ１１が嵌着された薬液吐出ノズル４の先端部分の断面図を示す。図２（ａ）及び図２（ｂ）は、ノズルキャップ１１が薬液吐出ノズル４の先端開口部５の吐出口径５ａよりも小さい開口径１１ｄを有する例であり、薬液吐出量を対照よりも少なくした例である。図２（ａ）の例では、ノズルキャップ１１の開口径１１ｄが、その先端からノズル側端部まで一定であり、図２（ｂ）は、ノズルキャップ１１の開口径１１ａがノズルキャップの先端開口部１１ａで最も狭まっている例である。逆に、図２（ｃ）は、ノズルキャップ１１が薬液吐出ノズル４の先端開口部５の吐出口径５ａよりも大きい開口径１１ｄを有する例であり、薬液吐出量を対照よりも多くした例である。
【００１８】
一方、図２（ｄ）及び図２（ｅ）は、ノズルキャップ１１が薬液吐出ノズル４の先端開口部５の吐出口径５ａと同じ開口径１１ｄを有する例である。図２（ｄ）の例では、ノズルキャップ１１の先端を鋭角にし、それにより薬液吐出量を対照よりも多くした例である。なお、例えば、開口径の異なる複数のノズルキャップを用意しておけば、それらの中から、薬液吐出容器の吐出環境に応じて最適な薬液吐出量が得られるようなノズルキャップを選択すことが可能となる。図２（ｅ）の例では、ノズルキャップ１１の開口長１１ｂを長くし、それにより薬液吐出量を対照よりも少なくした例である。
【００１９】
次に、図３（ａ）〜（ｃ）に、第１の本発明の別の態様の薬液吐出ノズル４の先端の断面図を示す。この態様は、ネジ栓１２が薬液吐出ノズル４の先端に脱着可能に螺着されているものであり、ネジの開け閉めにより薬液Ａの吐出量を変化させることができるネジ栓である。この場合、薬液吐出ノズル４の外表面にネジ山を形成して薬液吐出ノズル４をオスネジとし、ネジ栓１２をメスネジとすることができる。更に、ネジ栓１２の内底部には、薬液吐出ノズル４の先端開口部５に挿入される挿入部１２ａを設け、ネジ栓１２の側面には吐出口１２ｂを設けている。なお、ネジ栓１２の吐出口１２ｂには、薬液Ａが、表面張力と薬液タンク１内が弱い負圧状態になることにより保持される。
【００２０】
図３の態様では、ネジ栓１２を完全に閉じると、図３（ａ）に示すように、挿入部１２ａが薬液吐出ノズル４の開口部５に挿入され、薬液Ａの吐出がない状態となる。ネジ栓１２を僅かに回すと、図３（ｂ）に示すように、挿入部１２ａが下方に下がり、薬液吐出ノズル４からネジ栓１２を経由して外部にまでの液路（図中矢印）が生じ、薬液Ａが僅かに吐出が可能な状態となる。更に、ネジ栓１２を大きく回すと、図３（ｃ）に示すように、薬液吐出ノズル４からネジ栓１２が大きく開かれて大きな液路（図中矢印）が形成され、薬液Ａの多量吐出が可能な状態となる。
【００２１】
なお、図３の態様では、ネジ栓１２をキャップ３と別部材としたが、図４に示すように、キャップ３自体をメスネジとすることも可能である。
【００２２】
なお、薬液タンク１上には、着脱自在に天板１０が設けられているが、この天板１０はカランの水が薬液吐出容器１００の真上から供給される場合に、水Ｗが薬液タンク１に直接的に当たることを防止し、それにより、薬液タンク１からの薬液Ａの吐出量を、水温あるいは気温の変動によらず、安定化させるため、必要に応じて設けられる。また、カランから供給された水は天板１０にそって放射状に流れ、美しい水のベールの外観を呈するので、薬液吐出容器１００の使用感を向上させる点からも好ましい。
【００２３】
図５（ａ）は、第２の本発明の一態様の薬液吐出容器１００のの部分切り欠き断面を含む正面図である。この薬液吐出容器１００は、第１の本発明と同様に、薬液タンク１と、薬液タンク１の底部開口部２に取り付けられたキャップ３からなる。キャップ３の底部には薬液吐出ノズル４と、足６がキャップ３に一体的に設けられている。そして、薬液吐出容器１００の底部に、薬液吐出ノズル４から底部周縁部に向かって、水を薬液吐出ノズルへ誘導するための水誘導板７が設けられている。この水誘導板７は、底面方向から観察した場合には図５（ｂ）又は図５（ｃ）に示すように、薬液吐出ノズル４を中心として好ましくは放射状に起立したものであり、その形状は平板でも曲板でもよい。また、キャップ３の底部に設ける水誘導板７の数は４〜１２枚とすることが好ましい。このように、４〜１２枚の水誘導板７を薬液吐出ノズル４を中心として放射状に設けることにより、ロータンクの手洗い部２０の形状、手洗水の水量、水圧、手洗い部２０における薬液吐出容器１００の載置位置等によらず、カランから供給された水を、ロータンクの吸水口２１上にカランがない場合であっても、水誘導板７に沿わせて薬液吐出ノズル４の方に流し、次いで、薬液吐出ノズル４に沿わせてロータンク内に流下させることができる。また、キャップ３の底面が吸水口２１を塞ぐことが防止されるので、手洗い部２０に水が溢れることを防止できる。
【００２４】
第２の本発明においては、この水誘導板７が、薬液吐出ノズル４へ誘導される水量を調整できるように可動、好ましくは薬液吐出ノズルを中心として回動可能となっていることが必要である。具体的には、図５（ｂ）の状態（水誘導板７が実質的に４枚）から図５（ｃ）の状態（水誘導板７が実質的に８枚）となるように水誘導板７を移動させる。この場合、図５（ｂ）の場合に比べて、図５（ｃ）の場合の方が水の誘導効率が良好なので、薬液吐出ノズル４からのより多くの薬液Ａを吐出させることができる。
【００２５】
図６（ａ）は、第３の本発明の一態様の薬液吐出容器１００の部分切り欠き断面を含む正面図である。この薬液吐出容器１００は、第１の本発明と同様に、薬液タンク１と、薬液タンク１の底部開口部２に取り付けられたキャップ３からなる。キャップ３の底部には薬液吐出ノズル４と、足６がキャップ３に一体的に設けられている。そして、薬液吐出ノズル４の周囲に、薬液吐出ノズル４の吐出方向に沿って、カランから水Ｗが供給されている間に終始多量の水が薬液吐出ノズル４の先端に当たり続けることを抑制するための水量抑制板８が設けられている。このような水量抑制板８を設けることにより、薬剤Ａの過剰吐出が引き起こされることを防止できる。
【００２６】
水量抑制板８は、薬液吐出ノズル４よりも長く形成し、その先端が先端開口部５から突出するように形成することが好ましい。水量抑制板８が薬液吐出ノズル４よりも短い場合には、水流が強いとき、あるいは水量が多いときに、過剰吐出が引き起こされる場合があるので注意が必要である。なお、薬液吐出ノズル４の周囲に設ける水量抑制板８の数は、３〜８枚とすることが好ましい。
【００２７】
第３の本発明においては、この水量抑制板８が、薬液吐出ノズル４の周囲に、薬液吐出ノズル４に当たる水量を調整できるように可動、好ましくは薬液吐出ノズル４を中心として回動可能となっていることが必要である。具体的には、図６（ｂ）の状態（水量抑制板８が実質的に４枚）から図６（ｃ）の状態（水量抑制板８が実質的に８枚）となるように水量抑制板８を移動させる。この場合、図６（ｂ）の場合に比べて、図６（ｃ）の場合の方が水の抑制効率が良好なので、薬液吐出ノズル４からのより少ない薬液Ａを吐出させることができる。
【００２８】
なお、図７（ａ）〜（ｃ）に示すように、水誘導板７に加えて水量抑制板８を組み合わせてもよい。この場合、水誘導板７を可動とし、水量抑制板８を固定とすることが好ましいが、逆に、水誘導板７を固定し、水量抑制板８を可動とすることもできる。必要に応じて、水誘導板７及び水量抑制板８の双方を可動とすることもできる。
【００２９】
次に、第１の本発明、第２の本発明及び第３の本発明の薬液吐出容器１００の使用方法について説明する。
【００３０】
第１の本発明の場合、図８（ａ）に示すように、まず、薬液Ａが薬液タンク１に収容されている状態において、薬液吐出容器１００を水洗トイレの手洗い付きロータンクの手洗い部２０の吸水口２１上に載置し、薬液吐出ノズル４を吸水口２１に挿入する。なお、ロータンクの吸水口２１上にカランが設けられ、薬液タンク１の上方から水が供給される場合について、以下に説明する。
【００３１】
薬液吐出容器１００を手洗い部２０に載置後、水洗トイレの水がフラッシュされ、カランから水が供給されると、水Ｗは、まず、天板１０に沿って放射状に流れ、次いで薬液タンク１の側面に沿って手洗い部２０に流れ込む。手洗い部２０に流れ込んだ水Ｗは、薬液吐出ノズル４の方に流れ、次いで薬液吐出ノズル４に沿って流下し、ノズルキャップ１１（又はネジ栓１２）の先端を洗う。従って、ノズルキャップ１１（又はネジ栓１２）の先端に保持されていた薬液Ａが水Ｗでさらわれ、確実にロータンク内に混入する。
【００３２】
カランからの給水が止まるとノズルキャップ１１（又はネジ栓１２）の先端に保持されている薬液Ａをさらう水の流れがなくなり、ロータンク内への薬液Ａの吐出も止まる。薬液タンク１内は、ロータンク内に混入した薬液Ａの量に応じて負圧になるが、ノズルキャップ１１（又はネジ栓１２）の先端に付着していた薬液の希釈液、水又は空気がノズルキャップ１１（又はネジ栓１２）の先端から薬液タンク１内に入るので、薬液タンク１内は弱い負圧状態に戻り、カランからの給水前と同様にノズルキャップ１１（又はネジ栓１２）の先端には薬液Ａが保持される。以降、カランから給水される度にこの作用が繰り返され、薬液Ａがロータンク内に混入する。
【００３３】
第２の本発明の場合、図８（ｂ）に示すように、薬液吐出容器１００を手洗い部２０に載置後、水洗トイレの水がフラッシュされ、カランから水が供給されると、水Ｗは、まず、天板１０に沿って放射状に流れ、次いで薬液タンク１の側面に沿って手洗い部２０に流れ込む。ここで、薬液吐出容器１００の底部をなすキャップ３の底面には、可動の水誘導板７が、薬液吐出ノズル４を中心として好ましくは放射状に起立しているので、ロータンクの手洗い部の形状、手洗水の水量、水圧、ロータンクの手洗い部における薬液吐出容器の載置位置等に応じて水誘導板７を最適な位置に移動させると、手洗い部２０に流れ込んだ水Ｗは、水誘導板７に沿って薬液吐出ノズル４の方に流れ、次いで薬液吐出ノズル４に沿って流下し、先端開口部５を洗うように誘導される。このため、ロータンクの吸水口２１上にはカランがなく、薬液タンク１の側方のカランから水が供給される場合でも、先端開口部５に保持されていた薬液Ａが水Ｗでさらわれ、確実にロータンク内に混入する。しかも図７のように固定の水量抑制板８を設けると、先端開口部５に多量の水が当たり続けることを防止できるので、薬液Ａの過剰吐出を防止できる。カランからの給水が止まると薬液吐出ノズル４の先端開口部５に保持されている薬液Ａをさらう水の流れがなくなり、ロータンク内への薬液Ａの吐出も止まる。薬液タンク１内は、ロータンク内に混入した薬液Ａの量に応じて負圧になるが、先端開口部５に付着していた薬液の希釈液、水又は空気が先端開口部５から薬液タンク１内に入るので、薬液タンク１内は弱い負圧状態に戻り、カランからの給水前と同様に薬液吐出ノズル４の先端開口部５には薬液Ａが保持される。
以降、カランから給水される度にこの作用が繰り返され、薬液Ａがロータンク内に混入する。
【００３４】
第３の本発明の場合、図８（ｃ）に示すように、薬液吐出容器１００を手洗い部２０に載置後、水洗トイレの水がフラッシュされ、カランから水が供給されると、水Ｗは、まず、天板１０に沿って放射状に流れ、次いで薬液タンク１の側面に沿って手洗い部２０に流れ込む。手洗い部２０に流れ込んだ水Ｗは、薬液吐出ノズル４の方に流れ、次いで薬液吐出ノズル４に沿って流下し、先端開口部５を洗うように流下する。従って、先端開口部５に保持されていた薬液Ａが水Ｗでさらわれ、確実にロータンク内に混入する。このとき、水量抑制板８を動かして先端開口部５に多量の水が当たり続けることを防止できるので、薬液Ａの過剰吐出を防止できる。カランからの給水が止まると薬液吐出ノズル４の先端開口部５に保持されている薬液Ａをさらう水の流れがなくなり、ロータンク内への薬液Ａの吐出も止まる。薬液タンク１内は、ロータンク内に混入した薬液Ａの量に応じて負圧になるが、先端開口部５に付着していた薬液の希釈液、水又は空気が先端開口部５から薬液タンク１内に入るので、薬液タンク１内は弱い負圧状態に戻り、カランからの給水前と同様に薬液吐出ノズル４の先端開口部５には薬液Ａが保持される。以降、カランから給水される度にこの作用が繰り返され、薬液Ａがロータンク内に混入する。
【００３５】
以上説明した第１〜第３の本発明の薬液吐出容器１００は極めて構成が簡易であり、構成部品の点数が少ないものである。従って、これらの薬液吐出容器１００はローコストに得ることができる。更に、カランからの給水により確実に適量の薬液Ａをロータンク内に混入させることができ、水Ｗが手洗い部２０に溢れることもない。
【００３６】
本発明において、薬液吐出容器は種々の態様をとることができる。例えば、上述の例では、薬液タンク１の底部開口部２にキャップ３を設け、そのキャップ３の底面に水誘導板７を設けているが、本発明においては、キャップ３を設けることなく、薬液タンク１に直接、薬液吐出ノズル４を形成してもよい。その場合、薬液タンク１の底面に水誘導板７あるいは水量抑制板８を形成すればよい。
【００３７】
【発明の効果】
本発明の薬液吐出容器によれば、この薬液吐出容器を水洗トイレの手洗い付きロータンクの手洗い部に載置することにより、ロータンクの手洗い部の形状、手洗水の水量、水圧、ロータンクの手洗い部における薬液吐出容器の載置位置に応じて、適切な量の薬液を吐出させることができ、また手洗い部に水が溢れることを防止できる。
【図面の簡単な説明】
【図１】ノズルキャップを有する第１の本発明の一態様の薬液吐出容器の部分切り欠き断面を含む正面図（同図（ａ））及び側面図（同図（ｂ））である。
【図２】ノズルキャップが嵌着された第１の本発明の薬液吐出ノズルの先端部分の断面図（同図（ａ）〜（ｅ））である。
【図３】ネジ栓が螺着された第１の本発明の薬液吐出ノズルの先端部分の断面図（同図（ａ）〜（ｃ））である。
【図４】キャップ自体をネジ栓として使用する第１の本発明の薬液吐出ノズルの断面図である。
【図５】水誘導板を有する第２の本発明の一態様の薬液吐出容器の部分切り欠き断面を含む正面図（同図（ａ））及び底面図（同図（ｂ）及び（ｃ））である。
【図６】水量抑制板を有する第３の本発明の一態様の薬液吐出容器の部分切り欠き断面を含む正面図（同図（ａ））及び底面図（同図（ｂ）及び（ｃ））である。
【図７】水誘導板と水量抑制板とを同時に有する薬液吐出容器の部分切り欠き断面を含む正面図（同図（ａ））及び底面図（同図（ｂ）及び（ｃ））である。
【図８】第１〜第３の本発明の吐出容器の使用方法の説明図（同図（ａ）〜（ｃ））である。
【図９】薬液吐出容器の斜視図（ａ）、及びロータンクの手洗い部に載置した薬液吐出容器の断面図（ｂ）、（ｃ）である。
【符号の説明】
１    薬液タンク
２    薬液タンクの底部開口部
３    キャップ
４    薬液吐出ノズル
５    薬液吐出ノズルの先端開口部
５ａ  薬液吐出ノズルの先端開口部の吐出口径
６    足
７    水誘導板
８    水量抑制板
１０    天板
１１    ノズルキャップ
１１ａ  ノズルキャップの先端開口部
１１ｂ  ノズルキャップの開口長
１１ｄ  ノズルキャップの開口径
１２    ネジ栓
１２ａ  挿入部
１２ｂ  吐出口
２０    手洗い部
２１    吸水口
１００    薬液吐出容器
Ｗ    水
【図１】
2004176424.tif 000003
【図２】
2004176424.tif 000004
【図３】
2004176424.tif 000005
【図４】
2004176424.tif 000006
【図５】
2004176424.tif 000007
【図６】
2004176424.tif 000008
【図７】
2004176424.tif 000009
【図８】
2004176424.tif 000010
【図９】
2004176424.tif 000011